(57)【要約】【課題】ハーフキャビネットにおいて、意匠性の悪化を抑制するとともに、排水管の位置調整をより容易に行うことができる排水ユニットを提供することを目的とする。【解決手段】床から離れた位置に取り付けられ、上面にカウンターを有するキャビネットと、カウンターの上に載置され、下方に排水する排水部を有するボウルと、排水部からの排水を壁に設けられた排出部に排出する排水管と、を備え、排水管は、排水部の下流に設けられる偏心管と、偏心管の下流に設けられる排水トラップと、を有し、偏心管は、上下方向に延び、入水口と排水口とを有し、排水口の中心は、入水口の中心に対して横方向にずれており、排水トラップは、１つのＵ字構造を有する第１部分と、第１部分の下流に位置し排出部に接続される第２部分と、を有することを特徴とする排水ユニット。【選択図】図１
2020033805.tif 000002
【特許請求の範囲】
【請求項１】
床から離れた位置に取り付けられ、上面にカウンターを有するキャビネットと、
前記カウンターの上に載置され、下方に排水する排水部を有するボウルと、
前記排水部からの排水を壁に設けられた排出部に排出する排水管と、
を備え、
前記排水管は、前記排水部の下流に設けられる偏心管と、前記偏心管の下流に設けられる排水トラップと、を有し、
前記偏心管は、上下方向に延び、入水口と排水口とを有し、
前記排水口の中心は、前記入水口の中心に対して横方向にずれており、
前記排水トラップは、１つのＵ字構造を有する第１部分と、前記第１部分の下流に位置し前記排出部に接続される第２部分と、を有することを特徴とする排水ユニット。
【請求項２】
前記入水口の中心を軸にして前記偏心管を回転させたときの最大半径は、前記入水口の中心から前記壁までの距離よりも短いことを特徴とする請求項１記載の排水ユニット。
【請求項３】
前記偏心管は、前記入水口を有する第１筒部と、前記排水口を有する第２筒部と、を有し、
前記第２筒部の上下方向の長さは、前記第１筒部の上下方向の長さよりも長いことを特徴とする請求項１または２に記載の排水ユニット。
【請求項４】
前記第１部分は、前記第２部分に対して上下方向を軸に回転可能であることを特徴とする請求項１〜３のいずれか１つに記載の排水ユニット。
【請求項５】
前記第１部分は、第１の口と第２の口とを有し、
前記第１の口の中心と前記第２の口の中心との間の横方向の距離は、前記偏心管の前記入水口の中心と前記排水口の中心との間の横方向の距離よりも大きいことを特徴とする請求項４記載の排水ユニット。
【発明の詳細な説明】
【技術分野】
【０００１】
本発明の態様は、一般的に、排水ユニットに関する。
【背景技術】
【０００２】
手洗器には、水栓装置から吐出された水を受け、床や壁に設けられた排出部に水を排出する排水ユニットが設けられる。排水ユニットには、例えば、水栓装置からの水を受けるボールと、ボールからの排水を排出部に流すための排水管と、が設けられる。また、排水管には、例えば、下水道からの悪臭の逆流などを抑制するための排水トラップが設けられる。
【０００３】
このような排水トラップとしては、例えば、上方からの排水を２か所のＵ字構造を介して床に設けられた排出部に流す、いわゆるＳトラップや、上方からの排水を１か所のＵ字構造を介して壁に設けられた排出部に流す、いわゆるＰトラップが用いられる。
【０００４】
トイレ室などに設けられる手洗器として、キャビネットの上に水栓装置やボウルが設けられた手洗器が知られている。このような手洗器においては、意匠性が損なわれないよう、例えば、排水トラップなどの排水管をキャビネット内部の収納空間に収納する。
【先行技術文献】
【特許文献】
【０００５】
【特許文献１】特開２００２−３４８９３０号公報
【特許文献２】特開２００５−２４８５４３号公報
【発明の概要】
【発明が解決しようとする課題】
【０００６】
近年、トイレ用のキャビネットとして、床から離れた位置に取り付けられる、いわゆるハーフキャビネットが提案されている。このようなハーフキャビネットにおいて、排水トラップとしてＳトラップを用いると、排水管の一部がキャビネットの下端から外に露出してしまい、意匠性が悪化するという問題がある。
【０００７】
これを解決する手段として、例えば、Ｐトラップを用いることが考えられる。しかし、Ｐトラップは、Ｕ字構造が１か所であるため、２か所のＵ字構造を有するＳトラップと比べて可動範囲が狭く、排水管の位置調整がしにくい。そのため、Ｐトラップを用いると、排水管がキャビネットの扉と干渉する場合がある。また、Ｐトラップを用いた場合、例えば、ボウルを交換した際にボウルの排水部の位置が変わると、ボウルと排出部との接続が困難になり、排出部の位置を変える必要がある場合がある。
【０００８】
本発明は、かかる課題の認識に基づいてなされたものであり、ハーフキャビネットにおいて、意匠性の悪化を抑制するとともに、排水管の位置調整をより容易に行うことができる排水ユニットを提供することを目的とする。
【課題を解決するための手段】
【０００９】
第１の発明は、床から離れた位置に取り付けられ、上面にカウンターを有するキャビネットと、前記カウンターの上に載置され、下方に排水する排水部を有するボウルと、前記排水部からの排水を壁に設けられた排出部に排出する排水管と、を備え、前記排水管は、前記排水部の下流に設けられる偏心管と、前記偏心管の下流に設けられる排水トラップと、を有し、前記偏心管は、上下方向に延び、入水口と排水口とを有し、前記排水口の中心は、前記入水口の中心に対して横方向にずれており、前記排水トラップは、１つのＵ字構造を有する第１部分と、前記第１部分の下流に位置し前記排出部に接続される第２部分と、を有することを特徴とする排水ユニットである。
【００１０】
この排水ユニットによれば、排水トラップとして、壁に設けられた排出部に接続されるいわゆるＰトラップを用いることで、ハーフキャビネットにおいて、排水管の一部がキャビネットの下端から外に露出することを抑制できる。これにより、ハーフキャビネットにおいて、意匠性の悪化を抑制することができる。また、この排水ユニットによれば、排水管に偏心管を設けることで、排水管の位置調整をより容易に行うことができる。これにより、排水管がキャビネットの扉と干渉することを抑制できる。また、例えば、ボウルを交換した際にボウルの排水部の位置が変わった場合にも、排出部の位置を変えずに、ボウルと排出部とを接続することができる。したがって、ボウルの交換をより容易に行うことができる。
【００１１】
第２の発明は、第１の発明において、前記入水口の中心を軸にして前記偏心管を回転させたときの最大半径は、前記入水口の中心から前記壁までの距離よりも短いことを特徴とする排水ユニットである。
【００１２】
この排水ユニットによれば、入水口の中心を軸にして偏心管を回転させたときの最大半径を、入水口の中心から壁までの距離よりも短くすることで、偏心管を回転させた場合に偏心管と壁とが接触することを抑制できるため、排水管の位置調整をさらに容易に行うことができる。
【００１３】
第３の発明は、第１または第２の発明において、前記偏心管は、前記入水口を有する第１筒部と、前記排水口を有する第２筒部と、を有し、前記第２筒部の上下方向の長さは、前記第１筒部の上下方向の長さよりも長いことを特徴とする排水ユニットである。
【００１４】
この排水ユニットによれば、第２筒部の上下方向の長さを、第１筒部の上下方向の長さよりも長くすることで、偏心管の上下方向の位置調整をより容易に行うことができる。
【００１５】
第４の発明は、第１〜第３のいずれか１つの発明において、前記第１部分は、前記第２部分に対して上下方向を軸に回転可能であることを特徴とする排水ユニットである。
【００１６】
この排水ユニットによれば、第１部分を第２部分に対して上下方向を軸に回転可能とすることで、排水管の位置調整をさらに容易に行うことができる。
【００１７】
第５の発明は、第４の発明において、前記第１部分は、第１の口と第２の口とを有し、前記第１の口の中心と前記第２の口の中心との間の横方向の距離は、前記偏心管の前記入水口の中心と前記排水口の中心との間の横方向の距離よりも大きいことを特徴とする排水ユニットである。
【００１８】
この排水ユニットによれば、第１の口の中心と第２の口の中心との間の横方向の距離を、偏心管の入水口の中心と排水口の中心との間の横方向の距離よりも大きくすることで、より多様な排出部の位置に対応することができる。
【発明の効果】
【００１９】
本発明の態様によれば、ハーフキャビネットにおいて、意匠性の悪化を抑制するとともに、排水管の位置調整をより容易に行うことができる排水ユニットが提供される。
【図面の簡単な説明】
【００２０】
【図１】実施形態に係る排水ユニットを備えた手洗器を模式的に表す正面図である。
【図２】実施形態に係る排水ユニットの一部を模式的に表す分解斜視図である。
【図３】実施形態に係る排水ユニットの偏心管を模式的に表す側面図である。
【図４】実施形態に係る排水ユニットの一部を模式的に表す平面図である。
【図５】図５（ａ）及び図５（ｂ）は、実施形態に係る排水ユニットの排水トラップを模式的に表す側面図及び分解図である。
【発明を実施するための形態】
【００２１】
以下、本発明の実施形態について図面を参照しつつ説明する。なお、各図面中、同様の構成要素には同一の符号を付して詳細な説明は適宜省略する。
【００２２】
図１は、実施形態に係る排水ユニットを備えた手洗器を模式的に表す正面図である。  
図２は、実施形態に係る排水ユニットの一部を模式的に表す分解斜視図である。  
図１に表したように、手洗器５００は、排水ユニット１００と、水栓装置２００と、を備える。
【００２３】
手洗器５００は、例えば、トイレ室の内部に設けられるトイレ用の手洗器である。手洗器５００は、例えば、洗面所に設けられる洗面化粧台であってもよい。
【００２４】
排水ユニット１００は、キャビネット５と、ボウル２０と、排水管８０と、を備える。また、図２に表したように、この例では、排水ユニット１００は、ボウル固定部材３０と、ソケット支持材４０と、排水ソケット５０と、ソケット固定部材６０と、水密部材７０と、をさらに備える。
【００２５】
水栓装置２００は、吐水口２１０を有しており、吐水口２１０の下方に設けられたボウル２０に向かって水を吐出する。使用者は、水栓装置２００からの吐水により、手などを洗うことができる。なお、本願明細書において「水」という場合には、冷水のみならず、加熱されたお湯も含むものとする。
【００２６】
また、本願明細書においては、排水ユニット１００と向き合う使用者からみて手前側を「前方」とし、奥側を「後方」とし、上側を「上方」とし、下側を「下方」とし、右側を「右側方」とし、左側を「左側方」とする。
【００２７】
この例では、水栓装置２００は、キャビネット５の上面に設けられたカウンター１０に取り付けられている。また、この例では、水栓装置２００は、ボウル２０の左側方に取り付けられている。水栓装置２００は、例えば、ボウル２０の右側方や後方に取り付けられてもよい。また、水栓装置２００は、例えば、ボウル２０に取り付けられてもよいし、ボウル２０の後方の壁に取り付けられてもよい。
【００２８】
キャビネット５は、例えば、略直方体の箱状であり、内部に収納空間を有する。キャビネット５は、床から離れた位置に取り付けられる。換言すれば、キャビネット５と床面との間には空間が設けられる。キャビネット５は、例えば、壁に取り付けられる。キャビネット５の内部の収納空間には、排水管８０が収納される。なお、図１では省略されているが、キャビネット５は、例えば、前面に扉を有する。この扉により、内部に収納された排水管８０などを隠すことができる。
【００２９】
キャビネット５は、上面にカウンター１０を有する。カウンター１０は、ボウル２０を支持する。カウンター１０は、例えば、キャビネット５の側板に支持される。カウンター１０は、例えば、壁に支持されてもよい。カウンター１０は、例えば、略水平方向に拡がる板状の部材である。カウンター１０は、例えば、キャビネットの天板である。
【００３０】
カウンター１０は、上下方向に貫通する第１開口部１１を有する。第１開口部１１は、上下方向においてボウル２０と重なる位置に設けられる。
【００３１】
ボウル２０は、カウンター１０の上に載置される。ボウル２０は、吐水口２１０の下方に設けられる。ボウル２０は、吐水口２１０から吐出された水を受け、下方に排出する。ボウル２０は、吐水口２１０から吐出された水を受ける本体部２１と、本体部２１の下端から下方に延びる排水部２２を有する。排水部２２は、筒状の構造を有し、本体部２１内の水をカウンター１０の第１開口部１１を介して下方に排出する。本体部２１の内壁には、例えば、本体部２１内の水を排水部２２に導くための傾斜が設けられる。
【００３２】
本体部２１の少なくとも一部は、例えば、カウンター１０の上面１０ａよりも上方に位置する。換言すれば、本体部２１の少なくとも一部は、例えば、カウンター１０の上面１０ａから上方に突出する。
【００３３】
ボウル固定部材３０は、ボウル２０をカウンター１０に固定する。ボウル固定部材３０は、例えば、カウンター１０の下面１０ｂからカウンター１０を上下方向に貫通する。カウンター１０には、例えば、ボウル固定部材３０を貫通させるための孔部が設けられる。ボウル固定部材３０は、例えば、ネジであってもよいし、ボルト及びナットであってもよい。
【００３４】
ソケット支持材４０は、排水ソケット５０を支持する。ソケット支持材４０は、例えば、金属製の板状の部材である。ソケット支持材４０は、取付部４１を有する。取付部４１は、カウンター１０の上面１０ａまたは下面１０ｂに取り付けられる。この例では、取付部４１は、カウンター１０の上面１０ａに取り付けられ、カウンター１０の上面１０ａに係合している。
【００３５】
ソケット支持材４０は、上下方向に貫通する第２開口部４２を有する。第２開口部４２は、上下方向において、第１開口部１１と重なる位置に設けられる。第２開口部４２は、例えば、前後方向または左右方向において、取付部４１の間に設けられる。この例では、第２開口部４２は、取付部４１よりも下方に位置している。このような構造であれば、第２開口部４２と取付部４１との間の上下方向の距離（ソケット支持材４０の高さ）を変えることで、様々なデザインのボウル２０に対応できる。なお、ソケット支持材４０は、これに限定されず、平板状であってもよい。換言すれば、第２開口部４２と取付部４１とは、同一平面上に設けられていてもよい。
【００３６】
排水ソケット５０は、例えば、取付部５１と、ボウル接続部５２と、排水管接続部５３と、を有する。取付部５１は、ソケット支持材４０の下面に取り付けられる。このように排水ソケット５０をソケット支持材４０の下面に取り付けることで、ボウル２０やソケット支持材４０を取り外さなくても、排水ソケット５０を下方に取り外すことができる。これにより、簡単に排水ソケット５０や水密部材７０を交換することができる。取付部５１は、例えば、略水平方向に拡がる平板状である。
【００３７】
ボウル接続部５２は、ボウル２０の排水部２２と接続される。ボウル接続部５２は、例えば、前後方向または左右方向において、取付部５１の間に設けられる。ボウル接続部５２は、上下方向において、ボウル２０の排水部２２及びソケット支持材４０の第２開口部４２と重なる位置に設けられる。この例では、ボウル接続部５２は、上方が開放されたカップ状であり、上方から排水部２２がボウル接続部５２の内部に挿入されている。
【００３８】
排水管接続部５３は、ボウル接続部５２と排水管８０とを接続する。換言すれば、ボウル２０の排水部２２は、排水ソケット５０のボウル接続部５２及び排水管接続部５３を介して、排水管８０と接続される。排水管接続部５３は、例えば、ボウル接続部５２の下端から下方に延びる筒状である。
【００３９】
ソケット固定部材６０は、排水ソケット５０をソケット支持材４０に固定する。ソケット固定部材６０は、例えば、排水ソケット５０の下面から排水ソケット５０を上下方向に貫通する。ソケット支持材４０には、例えば、ソケット固定部材６０を貫通させるための孔部が設けられる。ソケット固定部材６０は、例えば、ネジであってもよいし、ボルト及びナットであってもよい。
【００４０】
水密部材７０は、ボウル２０の排水部２２と排水ソケット５０との間を塞ぐ。水密部材７０は、例えば、排水部２２と排水ソケット５０のボウル接続部５２との間を塞ぐ。この例では、水密部材７０は、排水部２２の外壁とボウル接続部５２の内壁との間に設けられている。
【００４１】
水密部材７０は、ボウル２０の排水部２２と排水ソケット５０との間の水の通過を防止し、いわゆる水密状態にする。水密部材７０は、例えば、パッキンである。
【００４２】
排水管８０は、ボウル２０の排水部２２からの排水を、壁に設けられた排出部８５に排出する。排水管８０は、例えば、排水ソケット５０の排水管接続部５３と、排出部８５と、を接続する。吐水口２１０から吐出された水は、例えば、ボウル２０の本体部２１から排水部２２を通り、排水ソケット５０の排水管接続部５３を通り、さらに排水管８０を通って、排出部８５から排出される。
【００４３】
排水管８０は、偏心管８１と、排水トラップ８２と、を有する。偏心管８１は、排水部２２の下流に設けられる。排水トラップ８２は、偏心管８１の下流に設けられる。この例では、偏心管８１の上流側は、排水ソケット５０の排水管接続部５３（下流側）と接続されており、偏心管８１の下流側は、排水トラップ８２の上流側と接続されている。排水トラップ８２の下流側は、壁に設けられた排出部８５に接続されている。偏心管８１及び排水トラップ８２については、後述する。
【００４４】
この例では、各部材は、接続部材９０により接続されている。より具体的には、偏心管８１と排水ソケット５０とは、接続部材９０により接続されている。偏心管８１と排水トラップ８２とは、接続部材９０により接続されている。接続部材９０は、例えば、袋ナットである。
【００４５】
図３は、実施形態に係る排水ユニットの偏心管を模式的に表す側面図である。  
図３に表したように、偏心管８１は、入水口８１ａと排水口８１ｂとを有する。排水口８１ｂの中心は、入水口８１ａの中心に対して横方向にずれている。換言すれば、上下方向において、排水口８１ｂの中心は、入水口８１ａの中心と重ならない。このように、偏心管８１は、偏心している。
【００４６】
偏心管８１は、例えば、第１筒部８１１と、第２筒部８１２と、第３筒部８１３と、を有する。第１筒部８１１は、上流側の端部に入水口８１ａを有する。第２筒部８１２は、下流側の端部に排水口８１ｂを有する。第１筒部８１１は、第２筒部８１２よりも上方に位置する。第３筒部８１３は、第１筒部８１１と第２筒部８１２とを接続する。第３筒部８１３は、第１筒部８１１の下端から第２筒部８１２の上端に向かって下方に傾斜する。
【００４７】
第１筒部８１１は、上下方向に延びる第１軸心ＡＸ１を有する略円筒形である。第１軸心ＡＸ１は、入水口８１ａの中心を通り、上下方向に延びる直線である。換言すれば、第１筒部８１１は、例えば、入水口８１ａから第１軸心ＡＸ１に沿って下方にまっすぐ伸びる部分である。
【００４８】
第２筒部８１２は、上下方向に延びる第２軸心ＡＸ２を有する略円筒形である。第２軸心ＡＸ２は、排水口８１ｂの中心を通り、上下方向に延びる直線である。換言すれば、第２筒部８１２は、例えば、排水口８１ｂから第２軸心ＡＸ２に沿って上方にまっすぐ伸びる部分である。
【００４９】
第２筒部８１２は、第１筒部８１１に対して偏心している。換言すれば、第１軸心ＡＸ１と第２軸心ＡＸ２とは、上下方向において重ならない。第１軸心ＡＸ１と第２軸心ＡＸ２とは、例えば、前後方向及び左右方向から見たときに略平行である。
【００５０】
偏心管８１は、第１筒部８１１（第１軸心ＡＸ１）または第２筒部８１２（第２軸心ＡＸ２）を軸に回転可能である。例えば、第１筒部８１１の位置を固定した状態で、第２筒部８１２を第１筒部８１１よりも前方、後方、左側方、右側方などに配置することができる。
【００５１】
このように、排水管８０に偏心管８１を設けることで、偏心管８１を回転させて、排水管８０の位置調整をより容易に行うことができる。これにより、排水管８０がキャビネット５の扉と干渉することを抑制できる。また、例えば、ボウル２０を交換した際にボウル２０の排水部２２の位置が変わった場合にも、排出部８５の位置を変えずに、ボウル２０と排出部８５とを接続することができる。したがって、ボウル２０の交換をより容易に行うことができる。
【００５２】
第１筒部８１１の上部は、偏心管８１の上流側の部材（例えば、排水ソケット５０の排水管接続部５３）と接続される。この例では、第１筒部８１１の上部には、排水管接続部５３と接続するためのネジが切ってある。例えば、排水管接続部５３に対して、第１軸心ＡＸ１を軸に偏心管８１を回転させることで、排水管接続部５３に第１筒部８１１を取り付けることができる。
【００５３】
第２筒部８１２の下部は、偏心管８１の下流側の部材（例えば、排水トラップ８２）と接続される。この例では、第２筒部８１２の下部は、排水トラップ８２（例えば、後述の第１部分８２１の第１の口８２１ａ）に挿入される。換言すれば、第２筒部８１２の下部を排水トラップ８２に飲み込ませることで、排水トラップ８２に第２筒部８１２を取り付けることができる。
【００５４】
第２筒部８１２の上下方向の長さＨ２は、第１筒部８１１の上下方向の長さＨ１よりも長い。このように、長さＨ２を長さＨ１よりも長くすることで、偏心管８１の上下方向の位置調整をより容易に行うことができる。例えば、排水トラップ８２に飲み込ませる第２筒部８１２の長さを調整することで、偏心管８１の上下方向の位置調整を容易に行うことができる。
【００５５】
図４は、実施形態に係る排水ユニットの一部を模式的に表す平面図である。  
図４に表したように、入水口８１ａの中心（すなわち、第１筒部８１１の第１軸心ＡＸ１）を軸にして偏心管８１を回転させたときの最大半径Ｒｍａｘは、例えば、入水口８１ａの中心から壁ＷＬまでの距離Ｄ１よりも短い。このように、最大半径Ｒｍａｘを距離Ｄ１よりも短くすることで、偏心管８１を回転させた場合に偏心管８１と壁ＷＬとが接触することを抑制できるため、排水管８０の位置調整をさらに容易に行うことができる。
【００５６】
また、偏心管８１の入水口８１ａの中心を軸にして偏心管８１を回転させたときの最大半径Ｒｍａｘは、例えば、入水口８１ａの中心からキャビネット５の扉ＤＲまでの距離Ｄ２よりも短い。このように、最大半径Ｒｍａｘを距離Ｄ２よりも短くすることで、偏心管８１を回転させた場合に偏心管８１と扉ＤＲとが接触することを抑制できるため、排水管８０の位置調整をさらに容易に行うことができる。
【００５７】
例えば、偏心管８１を取り付けた際の入水口８１ａの位置は、ボウル２０の排水部２２の位置に対応する。例えば、入水口８１ａの中心は、排水部２２の中心と一致する。
【００５８】
図５（ａ）及び図５（ｂ）は、実施形態に係る排水ユニットの排水トラップを模式的に表す側面図及び分解図である。  
図５（ａ）及び図５（ｂ）に表したように、排水トラップ８２は、第１部分８２１と、第２部分８２２と、を有する。第１部分８２１は、１つのＵ字構造を有する。第２部分８２２は、第１部分８２１の下流に位置し、壁に設けられた排出部８５に接続される。排水トラップ８２は、いわゆるＰトラップである。
【００５９】
このように、排水トラップ８２としてＰトラップを用いることで、ハーフキャビネットにおいて、排水管８０の一部がキャビネット５の下端から外に露出することを抑制できる。これにより、ハーフキャビネットにおいて、意匠性の悪化を抑制することができる。
【００６０】
第１部分８２１は、上流側の端部に設けられた第１の口８２１ａと、下流側の端部に設けられた第２の口８２１ｂと、を有する。第１部分８２１は、例えば、第１の口８２１ａを介して、排水トラップ８２の上流側の部材（例えば、偏心管８１の第２筒部８１２）と接続される。この例では、偏心管８１の第２筒部８１２の下部は、排水トラップ８２の第１部分８２１の第１の口８２１ａに挿入され、接続部材９０により接続されている。なお、必要に応じて、偏心管８１と排水トラップ８２との間に、別の管状の部材を設けてもよい。
【００６１】
第１部分８２１は、例えば、第２の口８２１ｂを介して、第２部分８２２と接続される。第２部分８２２は、例えば、下方に延びる下延部８２２ａと、後方に延びる後延部８２２ｂと、を有する。この例では、下延部８２２ａの下部は、第１部分８２１の第２の口８２１ｂに挿入され、接続部材９０により接続されている。なお、必要に応じて、第１部分８２１と第２部分８２２との間に、別の管状の部材を設けてもよい。
【００６２】
第２部分８２２の後延部８２２ｂは、壁に設けられた排出部８５と接続される。この例では、後延部８２２ｂに排出部８５と接続するためのアダプタ部８２３が設けられている。アダプタ部８２３は、接続部材９０により後延部８２２ｂと接続されている。アダプタ部８２３は、例えば、接着剤などにより、排出部８５と接続される。
【００６３】
第１部分８２１は、第２部分８２２（下延部８２２ａ）に対して上下方向を軸に回転可能である。このように、第１部分８２１を第２部分８２２に対して上下方向を軸に回転可能とすることで、排水管８０の位置調整をさらに容易に行うことができる。
【００６４】
第１の口８２１ａの中心と第２の口８２１ｂの中心との間の横方向の距離Ｄ３は、例えば、偏心管８１の入水口８１ａの中心と排水口８１ｂの中心との間の横方向の距離Ｄ４（図３参照）よりも大きい。距離Ｄ３は、例えば、第１部分８２１の回転半径に相当する。距離Ｄ４は、例えば、偏心管８１の回転半径に相当する。このように、距離Ｄ３（第１部分８２１の回転半径）を、距離Ｄ４（偏心管８１の回転半径）よりも大きくすることで、より多様な排出部８５の位置に対応することができる。
【００６５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、手洗器や排水ユニットなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６６】
５ キャビネット、  １０ カウンター、  １０ａ 上面、  １０ｂ 下面、  １１ 第１開口部、  ２０ ボウル、  ２１ 本体部、  ２２ 排水部、  ３０ ボウル固定部材、  ４０ ソケット支持材、  ４１ 取付部、  ４２ 第２開口部、  ５０ 排水ソケット、  ５１ 取付部、  ５２ ボウル接続部、  ５３ 排水管接続部、  ６０ ソケット固定部材、  ７０ 水密部材、  ８０ 排水管、  ８１ 偏心管、  ８１ａ 入水口、  ８１ｂ 排水口、  ８２ 排水トラップ、  ８５ 排出部、  ９０ 接続部材、  １００ 排水ユニット、  ２００ 水栓装置、  ２１０ 吐水口、  ５００ 手洗器、  ８１１ 第１筒部、  ８１２ 第２筒部、  ８１３ 第３筒部、  ８２１ 第１部分、  ８２１ａ 第１の口、  ８２１ｂ 第２の口、  ８２２ 第２部分、  ８２３ アダプタ部、  ＡＸ１、ＡＸ２ 第１、第２軸心、  Ｄ１〜Ｄ４ 距離、  ＤＲ 扉、  Ｈ１、Ｈ２ 長さ、  Ｒｍａｘ 最大半径、  ＷＬ 壁
【図１】
2020033805.tif 000003
【図２】
2020033805.tif 000004
【図３】
2020033805.tif 000005
【図４】
2020033805.tif 000006
【図５】
2020033805.tif 000007